(57)【要約】【課題】Ｌ型レンチの作業性を高め、より安全にサイズの異なるＬ型レンチも利用できるＬ型レンチ補助具を提供する。【解決手段】Ｌ型レンチを保持する部品とＬ型レンチを押さえる部品を接合面で回転できるように結合し、Ｌ型レンチを保持する部品にはＬ型レンチの長部を保持する溝と短部を保持する穴を設けてＬ型レンチを取り付け、Ｌ型レンチの短部を保持する穴は補助具からレンチの先端までの長さを変更できるよう複数設け、Ｌ型レンチの長部を保持する溝と短部を保持する穴を複数設けることでサイズの異なるＬ型レンチを取り付けることができる構造とする。【選択図】図１
2018187753.tif 000002
【特許請求の範囲】
【請求項１】
Ｌ型レンチを保持する部品とＬ型レンチを押さえる部品が接触面で回転できるよう結合され、Ｌ型レンチを保持する部品にはＬ型レンチの長部を保持する溝と短部を保持する穴を有することを特徴とするＬ型レンチ補助具であり、Ｌ型レンチを押さえる部品を回転させＬ型レンチを保持する部品にＬ型レンチを取り付けＬ型レンチを押さえる部品を回転させＬ型レンチを補助具内に固定しＬ型レンチの取り扱いを容易にする機能を有するＬ型レンチ補助具
【請求項２】
請求項１のＬ型レンチ補助具においてＬ型レンチを保持する部品のＬ型レンチ短部を保持する穴をＬ型レンチの長部を保持する溝に複数設け補助具の先端からＬ型レンチ先端までの長さを調整できる機構を有するＬ型レンチ補助具
【請求項３】
請求項１のＬ型レンチ補助具においてＬ型レンチを保持する部品にＬ型レンチ長部を保持する溝とＬ型レンチの短部を保持する穴をＬ型レンチのサイズを変えて複数設けることでサイズの異なる複数のＬ型レンチに対応する機構を有するＬ型レンチ補助具
【発明の詳細な説明】
【技術分野】
【０００１】本発明はＬ型レンチの作業性、携帯性を向上し、より便利に安全に利用するための補助具に関するものである。
【背景技術】
【０００２】Ｌ型レンチはネジの締め込みあるいは緩めるための工具として単体で必要最小限の機能を有する安価な工具であるが効率的に力をレンチ先端に伝えたり手に負担をかけず使用するには不向きである。【０００３】Ｌ型レンチは使用目的に合わせて複数のサイズを使用するが保管する際にサイズを判別し整理する煩わしさがある。
【先行技術調査】
【特許文献】
【０００４】
【特許文献２】特開平１０−１７５１７４レンチ用ハンドル
【特許文献】
【０００５】
【特許文献３】実願平１０−４２３８Ｌ型レンチ用ホルダー
【発明の概要】
【発明が解決しようとする課題】
【０００６】Ｌ型レンチを手に負担をかけずに安全に使用できるようにするものである。【０００７】使用目的に合わせて複数のサイズのＬ型レンチの保管を容易にするものである。
【課題を解決するための手段】
【０００８】Ｌ型レンチを交換可能な構造の補助具に収納しＬ字レンチの長部を使用する際の取っ手として利用できるようにする。【０００９】Ｌ型レンチの収納位置を変更することで補助具から先端までの長さを変更可能とする。【００１０】複数サイズのＬ型レンチ収納部を設け複数サイズのＬ型レンチを利用可能とする。
【発明の効果】
【００１１】Ｌ型レンチを取っ手がある工具と同様に利用することができる。【００１２】Ｌ型レンチが摩耗、消耗した際には容易にＬ型レンチを交換できる。【００１３】補助具から先端までの距離を変え作業内容に適した先端部の長さを選択できるため作業性が向上する。【００１４】複数のサイズのＬ型レンチが利用可能となるため作業目的に適合したサイズのＬ型レンチを利用でき携帯性が向上する。
【図面の簡単な説明】
【００１５】
【図１】Ｌ型レンチ補助具の概略図である。
【図２】Ｌ型レンチの長さを変更する方法の説明図であり補助具の側面図である。
【図３】複数のＬ型レンチの取り付け方法の説明図でありＬ型レンチを保持する部品の上面図である。
【図４】複数のＬ型レンチのサイズ表示の説明図でありＬ型レンチを押さえる部品の上面図である。
【発明を実施するための形態】
【００１６】Ｌ型レンチを保持する部品とＬ型レンチを押さえる部品を中央部でネジあるいはリベットなどで結合し、結合部を中心として部品同士の接触面を回転できる構造としＬ型レンチをＬ型レンチを保持する部品の穴にレンチ短部を差し込むことでレンチ長部側の回転軸を固定し、レンチ長部をＬ型レンチを保持する部品の溝にはめて補助具に保持できる構造となっている。
【００１７】Ｌ字レンチの短部側を保持する穴を複数設け、Ｌ字レンチ短部を差し込む位置を変更することで補助具から先端部までの長さを変更できる構造とする。
【００１８】図３のようにＬ型レンチを保持する部品に複数のサイズのＬ型レンチを収納するための溝と短部を差し込む穴を設けられる構造とする。
【実施例１】
【００１９】図１のようにＬ型レンチを押さえる部品１とＬ型レンチを保持する部品２を連結部３を中心としてＬ型レンチを押さえる部品１を回転させＬ型レンチを保持する部品２の接合部を露出させてＬ型レンチの短部を差し込み穴６に差し込みＬ型レンチの長部を保持溝５に取り付けたのち、Ｌ型レンチをを押さえる部品１を回転させＬ型レンチを保持する部品２と接触面が合致するようにする事でＬ型レンチを押さえる部品１とＬ型レンチを保持する部品２を一体化させ取っ手として利用する。【００２０】Ｌ型レンチを押さえる部品１とＬ型レンチを保持する部品２の接触面が適切な位置で回転が止まるようストッパー４をＬ型レンチを押さえる部品１あるいはＬ型レンチを保持する部品２の側面に設ける
【実施例２】
【００２１】図２のようにＬ字レンチの短部１３を保持する穴をＬ型レンチ短部差し込み穴９，１０、１１の様に複数設けＬ型レンチ短部１３の差し込み位置を変更する事により補助具からレンチ長部１２の先端部までの長さを変更できる構造とする。【００２２】Ｌ型レンチを保持する部品２からＬ型レンチの取り外しを容易にするためＬ型レンチ取り外し用空間８を設ける。
【実施例３】
【００２３】図３のようにＬ型レンチを保持する部品２に複数のサイズのＬ型レンチを取り付ける為のＬ型レンチ長部保持溝５とＬ型レンチ短部差し込み穴６がＬ型レンチのサイズに合わせて複数設けられておりサイズの異なるＬ型レンチを１台のＬ型レンチ補助具で使用あるいは保管できる。【００２４】図４のようにＬ型レンチを押さえる部品１にＬ型レンチのサイズを表示することで使用するＬ型レンチの選択が容易となる。
【産業上の利用可能性】
【００２５】本発明のＬ型レンチ補助具を利用することでＬ型レンチをより安全に利用でき複数のＬ型レンチのサイズに対応できるため作業性、携帯性が向上する。作業性の向上によりＬ型レンチを用いた作業の生産性が向上し、安価なＬ型レンチを簡単に交換して使用できるためドライバー型のレンチと比較した場合と比較しコストも低減でき、携帯性の向上により工具を携帯し移動しながらの作業はもとより、自動車、自転車などへ積載しての利用がより便利になる。
【符号の説明】
【００２６】  １      Ｌ型レンチを押さえる部品
２      Ｌ型レンチを保持する部品
３      連結部
４      ストッパー
５      Ｌ型レンチ長部保持溝
６      Ｌ型レンチ短部差し込み穴
７      Ｌ型レンチ
８      Ｌ型レンチ取り外し用空間
９      Ｌ型レンチ短部差し込み穴
１０      Ｌ型レンチ短部差し込み穴
１１      Ｌ型レンチ短部差し込み穴
１２      Ｌ型レンチ長部
１３      Ｌ型レンチ短部
【図１】
2018187753.tif 000003
【図２】
2018187753.tif 000004
【図３】
2018187753.tif 000005
【図４】
2018187753.tif 000006